(57)【特許請求の範囲】
【請求項１】
編成時に編機に設定されるデータであって、実際に編成された編地に対応して蓄積される、多数の編地の編機用調整データを記憶する編機用調整データ記憶手段と、
前記編機用調整データ記憶手段に記憶された編機用調整データの中から編成する編み製品に類似する編地を検索するための検索情報としての編地の各種パラメータの中で、編機の機種および編成のアイテムを含んで記憶した検索情報記憶手段と、
編成を行う編み製品の、編機の機種および編成のアイテムを含むパラメータを検索条件として入力する入力手段と、
入力された検索条件に従って前記検索情報記憶手段に記憶された検索情報から編成を行う編み製品に類似する編地を検索する検索手段と、
前記検索手段の検索結果に対応する編地の編機用調整データを前記編機用調整データ記憶手段から読み出して出力する出力手段とを備えてなることを特徴とする編み製品の編成支援システム。
【請求項２】
前記検索手段による検索の結果、編成を行う編み製品に類似する編地の編機用調整データを複数得た場合は、これら複数の編機用調整データの中から所望する複数の編地の編機用調整データを解析して平均化を行う解析手段を備えたことを特徴とする、請求項１に記載の編み製品の編成支援システム。
【請求項３】
前記検索手段は、編成を行う編み製品の各部位毎のパラメータを検索条件として入力し、入力された検索条件に従って前記検索情報記憶手段に記憶した検索情報から編成を行う編み製品の部位毎に類似する編地をそれぞれ検索し、
前記出力手段は、前記検索手段の検索結果に対応するそれぞれの編地の類似する部位の編機用調整データを前記編機用調整データ記憶手段から読み出して出力することを特徴とする、請求項１に記載の編み製品の編成支援システム。
【請求項４】
複数のクライアントシステムと通信接続可能な送受信手段を有するサーバシステムで、
編み製品の、編機の機種および編成のアイテムを含むパラメータを前記クライアントシステムから検索条件として受信する受信手段と、
編成時に編機に設定されるデータであって、実際に編成された編地に対応して蓄積される、多数の編地の編機用調整データを記憶する編機用調整データ記憶手段と、
前記編機用調整データ記憶手段に記憶された編機用調整データの中から編成する編み製品に類似する編地を検索するための検索情報としての編地の各種パラメータの中で、編機の機種および編成のアイテムを含んで記憶した検索情報記憶手段と、
前記受信手段によって受信された検索条件に従って前記検索情報記憶手段に記憶された検索情報から編成を行う編み製品に類似する編地を検索する検索手段と、
前記検索手段の検索結果に対応する編地の編機用調整データを前記編機用調整データ記憶手段から読み出して出力する出力手段と、
前記出力手段により出力された編機用調整データをクライアントシステムに送信する送信手段とを備えてなることを特徴とする編み製品の編成支援サーバシステム。
【発明の詳細な説明】
【０００１】
【技術分野】
本発明は、編機を使用して編み製品の編成を行う際にその編成を支援する編成支援システムおよび編成支援サーバシステムに関する。
【０００２】
【背景技術】
編機の技術的進歩により編成可能な編み製品の種類は以前に比べ飛躍的に増えた。これらの編み製品はＣＡＤを使用してデザインし、これにより編成プログラムを得ることが可能である。
【０００３】
しかし、作成した編成プログラムを編機にかけて所望する編み製品を編み立てるには、編機側に対して種々の編機用調整データを設定する必要がある。この編機に対して設定する編機用調整データには、例えばループ長，編み速度，ラッキング補正，編地引き下げ張力などがあり、これら編機用調整データに設定される値が不適切であると編み製品の編成に支障を来すことになる。例えばループ長の設定が不適切で、極端に小さな値が設定されていると編成中に糸切れが発生して編成の続行が不可能となる。逆に極端に大きな値がループ長に設定されていると目外れ等の問題が発生する。またループ長の適切な値は常に不変ではなく、例えば編み製品のデザインや使用する編糸，編機ゲージなどのパラメータにより異なる。
【０００４】
先に述べたように編機の技術的進歩により編成可能な編み製品の種類が飛躍的に増えている。しかし編まれる編み製品に応じて適切な編機用調整データが編機に設定されていなければ、たとえ編成プログラムを正しく作成していても編機で編み立てられないことが起こる。そのため編み製品毎に適切な編機用調整データを編機に設定しなければならない。
【０００５】
しかしながら、個々の編み製品に対する編機用調整データを決定するためのパラメータは多岐にわたるため、その設定は容易ではない。特に経験の浅い編機オペレータにとって編機用調整データを設定して編成プログラムを編機で実行させることはトライアンドエラーの繰り返しで非常に時間を要し手間のかかる作業である。
【０００６】
上記した問題点を鑑み、本発明は、編機を使用して編み製品を編成する際に、編機に設定する所望する編み製品に適した編機用調整データを容易に得ることができるように支援する編み製品の編成支援システムおよび編成支援サーバシステムを提供することを目的とする。
【０００７】
【発明の開示】
本発明は、編成時に編機に設定されるデータであって、実際に編成された編地に対応して蓄積される、多数の編地の編機用調整データを記憶する編機用調整データ記憶手段と、
前記編機用調整データ記憶手段に記憶された編機用調整データの中から編成する編み製品に類似する編地を検索するための検索情報としての編地の各種パラメータの中で、編機の機種および編成のアイテムを含んで記憶した検索情報記憶手段と、
編成を行う編み製品の、編機の機種および編成のアイテムを含むパラメータを検索条件として入力する入力手段と、
入力された検索条件に従って前記検索情報記憶手段に記憶された検索情報から編成を行う編み製品に類似する編地を検索する検索手段と、
前記検索手段の検索結果に対応する編地の編機用調整データを前記編機用調整データ記憶手段から読み出して出力する出力手段とを備えてなることを特徴とする編み製品の編成支援システムである。
【０００８】
好ましくは前記検索手段による検索の結果、編成を行う編み製品に類似する編地の編機用調整データを複数得た場合は、これら複数の編機用調整データの中から所望する複数の編地の編機用調整データを解析して平均化を行う解析手段を備える。
【０００９】
好ましくは前記検索手段は、編成を行う編み製品の各部位毎のパラメータを検索条件として入力し、入力された検索条件に従って前記検索情報記憶手段に記憶した検索情報から編成を行う編み製品の部位毎に類似する編地をそれぞれ検索し、
前記出力手段は、前記検索手段の検索結果に対応するそれぞれの編地の類似する部位の編機用調整データを前記編機用調整データ記憶手段から読み出して出力する。
【００１０】
また本発明は、複数のクライアントシステムと通信接続可能な送受信手段を有するサーバシステムで、
編み製品の、編機の機種および編成のアイテムを含むパラメータを前記クライアントシステムから検索条件として受信する受信手段と、
編成時に編機に設定されるデータであって、実際に編成された編地に対応して蓄積される、多数の編地の編機用調整データを記憶する編機用調整データ記憶手段と、
前記編機用調整データ記憶手段に記憶された編機用調整データの中から編成する編み製品に類似する編地を検索するための検索情報としての編地の各種パラメータの中で、編機の機種および編成のアイテムを含んで記憶した検索情報記憶手段と、
前記受信手段によって受信された検索条件に従って前記検索情報記憶手段に記憶された検索情報から編成を行う編み製品に類似する編地を検索する検索手段と、
前記検索手段の検索結果に対応する編地の編機用調整データを前記編機用調整データ記憶手段から読み出して出力する出力手段と、
前記出力手段により出力された編機用調整データをクライアントシステムに送信する送信手段とを備えてなることを特徴とする編み製品の編成支援サーバシステムである。
【００１１】
【発明を実施するための最良の形態】
本発明の実施の形態を図面を参照しながら説明する。第１図は、本発明における編み製品の編成支援システム１の構成を示した図である。２はバスでデータバスとそれ以外の命令バス等を区別せずに１つのバスとして示す。４は各種データ処理を行うＣＰＵ、６は各種プログラムを記憶したＲＯＭ、８は読み出し書き込み可能な作業用メモリ９を備えたＲＡＭ、そして１０はハードディスクである。
【００１２】
また、１２はＩ／Ｏ装置で、画像を表示するためのモニタ１４、データ入力のためのキーボード１６およびマウス１８、そしてフロッピーディスクや光磁気ディスク等のドライブである外部記憶手段２０等を接続する。
【００１３】
ＲＯＭ６には、後述の検索情報記憶手段２２に記憶した検索情報を検索するための検索手段２４や、検索手段２４による検索結果に対して処理を行う解析手段２６、そして検索手段２４の検索結果に対応する編地の編機用調整データを後述の編機用調整データ記憶手段２８から読み出して出力する出力手段３０等を形成するプログラムが記憶されており、ＣＰＵ４はこれらのプログラムをＲＡＭ８に読み出して実行する。本実施の形態においては、ＲＯＭ６には所望する編み製品のデザインを行い編機で編成を実行させるための編成プログラムを作成する編成プログラム作成手段３２を形成するプログラムも記憶させており、ニット用のＣＡＤとしても使用できるように構成している。
【００１４】
ハードディスク１０には、編機用調整データ記憶手段２８と検索情報記憶手段２２が設けられる。編機用調整データ記憶手段２８には、過去に編成を行いうまく編み立てられた実績のあるセーターやタンクトップ等の多数の編地を編成した際に設定した編機用調整データを編地別に記憶する。また検索情報記憶手段２２には、所望する編み製品に類似する編成実績のある編地を検索するための検索情報を編地別に記憶する。本実施の形態では、編機用調整データ記憶手段２８と検索情報記憶手段２２はデータベースを用いて実現される。
【００１５】
編成プログラム作成手段３２により所望する編み製品をデザインし、編み製品の編成プログラムを正しく作成したとしても、編機に設定する編機用調整データの値が適切でなければ編機でうまく編み製品を編み立てることはできない。
【００１６】
編機用調整データには、ループ長，編み速度，ラッキング補正，引き下げ張力，度目等、他にも多くの設定項目がある。また、本実施の形態においては編成実績のある編地を検索するための検索情報として、編成機種，編成タイプ，アイテム，編成組織，袖付け，肩の編成方法，首周り，裾タイプ，糸素材，糸番手等のパラメータ３３を設定している。例えばアイテムとしては、セーター，タンクトップ，ワンピース，スカートなどがある。編成組織としては、天竺，組織柄，ワイドリブ，天竺＋ワイドリブなどで、袖付けには、セットイン，ラグラン，ノースリーブなどがある。また糸素材には、ウール，コットン，アクリル，ナイロンなどが登録される。
【００１７】
なお、検索情報のパラメータには検索手段２４により検索する際にどのパラメータ３３を優先させるか判断させるために優先度をつけておくことも可能である。上記の編機用調整データと検索情報とは、編み製品の編地コード３４により互いの対応付けを行っている。
【００１８】
本発明の編み製品の編成支援システム１の処理について第２図を参照しながら説明を行う。
【００１９】
第２図は、編成支援システム１の全体的なフローチャートである。なお、この時点では編成プログラム作成手段３２により所望する編み製品の編成プログラムが既に作成されているものとする。
【００２０】
まずステップｓ１で処理を開始し、ステップｓ２で第３図に示した検索条件入力画面３６に従ってキーボード１６やマウス１８等により、所望する編み製品の各種パラメータ３３のデータ入力を行う。データ入力は、各パラメータ３３をクリックすると登録されているデータがリストで表示されるので、このリストからデータを選択する。なお全てのパラメータ３３に対してデータを入力しなくても構わない。
【００２１】
データ入力後、検索条件入力画面３６に設けられた検索実行キー３８を押すことによりステップｓ３に進む。ステップｓ３では、検索手段２４によりハードディスク１０の検索情報記憶手段２２に記憶した検索情報の中からステップｓ２で入力した検索条件に適合する編地の検索を行う。
【００２２】
検索手段２４は検索条件に適合する編地を検索して、第４図に示したような検索結果をモニタ１４に表示する。もし、検索情報記憶手段２２および編機用調整データ記憶手段２８に記憶された編成実績のある編地のデータ蓄積量が少なく、入力した検索条件の全てを満たすような編地が検索されない場合は、各パラメータに付けた優先度を基に検索条件に対して一定の基準を満たした適合率の高い編地を少なくとも１つ検索する。複数の編地が検索された場合は、適合率の高い順に編地の編地コード３４を並べて表示する。
【００２３】
ステップｓ４では、検索手段２４による検索結果から所望する編み製品に最も類似する編地の選択を行う。類似する編地が１つだけの時はその編地を選択する。編地の選択は検索結果画面４０に表示される編地コード３４をマウス１８でクリックして、セットキー４２を押すことでその編地が選択され、出力手段３０により選択された編地に対応する編機用調整データが編機用調整データ記憶手段２８から読み出されＲＡＭ８の作業用メモリ９にセットされる。
【００２４】
類似する編地が複数ある時は、その中から最も類似する編地を１つ選択するか、あるいは所望する編地をいくつか選択し、それらの編地に対応する編機用調整データを解析して平均化を行う。平均化を行う編機用調整データの項目は、例えばループ長のような特定の項目だけでもいいし、複数の項目に対して行っても構わない。複数の編地に対応する編機用調整データの平均化を行う時は、平均化を行う編地の編地コード３４をクリックして選択し、解析キー４４を押す。これにより解析手段２６は、選択された編地の編機用調整データを解析して平均化を行い、平均化した編機用調整データはＲＡＭ８の作業用メモリ９にセットされる。
【００２５】
解析手段２６は、選択された複数の編地の編機用調整データの平均化を行う以外にも、例えば編機用調整データの中からある特定の項目に対して設定されているデータを解析し、最も多く設定されているデータを有する編地を検索したり、あるいは設定されたデータの中で最も小さいものや最も大きいものを検索したりすることも可能である。
【００２６】
また、本実施の形態ではステップｓ３で検索手段２４により検索された編地は単にその編地コード３４のみを表示しているだけであるが、それぞれの編地の編機用調整データを比較できるように表示させたり、編機用調整データを記憶している編地の画像データをハードディスクに登録し検索手段２４で検索された編地はその画像データを表示させたりすることで、編地の選択を容易に行うことができる。
【００２７】
ステップｓ５では、ステップｓ４で選択した編地に対応する編機用調整データ、あるいは選択した複数の編地に対応する編機用調整データを解析して得られた編機用調整データを第５図のようにモニタ１４に一覧表示する。必要であればこの段階において編機用調整データを修正することも可能である。
【００２８】
次にステップｓ６で、第５図で一覧表示した編機用調整データでよければセーブキー４６を押す。編機用調整データは、出力手段３０により編成プログラム作成手段３２で作成された編成プログラムと共に、光磁気ディスク等に出力される。編み製品の編成を行う編機がシステム１とネットワークで接続されている場合は、編成プログラムと共に編機用調整データを不図示の編機のコントローラへ送信する。そしてステップｓ７に進み処理を終了する。
【００２９】
ハードディスク１０の編機用調整データ記憶手段２８に記憶されている編機用調整データは、過去に編地の編成を行いうまく編み立てられた編成実績のある多数の編地のデータである。検索手段２４は所望する編み製品と類似する過去に編成実績のある編地を検索する。従って検索される編地の編機用調整データを用いて所望する編み製品を編機で編成すれば、ある程度所望する編み製品に近いものを編み立てることができる。このようにしてファーストサンプルを編み立て、その結果、所望する編地が編み立てられていなければ、次にオペレータが編機用調整データのどの項目を修正すればいいのかを編成された編地から判断して編機用調整データの修正を行う。そして所望する編み製品が編成できれば、編成の際に使用した編機用調整データとそれを検索するための検索情報とをそれぞれ編機用調整データ記憶手段２８と検索情報記憶手段２２に追加して記憶する。
【００３０】
このようにすることで、従来全く何もない状態から所望する編み製品を編成するための編機用調整データの設定を行っていたのが、所望する編み製品に適した編機用調整データにある程度近いデータを容易に得ることができる。したがって試編に要する時間を短縮することが可能となる。
【００３１】
なお、本実施の形態では編機用調整データとそれを検索するための検索情報はそれぞれハードディスク１０内の編機用調整データ記憶手段２８と検索情報記憶手段２２に記憶している。しかし、編機用調整データ記憶手段２８と検索情報記憶手段２２は、内蔵のハードディスク１０内に設けずに外部接続したハードディスク、あるいはＤＶＤやＣＤ−ＲＯＭ等のメディア内に設けるようにしても構わない。
【００３２】
また、複数のシステム１をＬＡＮによりネットワーク接続する場合、それぞれのシステム１は編機用調整データ記憶手段２８と検索情報記憶手段２２に記憶したデータを共有することが可能である。これにより編機用調整データおよび検索情報をそれぞれのシステムが所有する必要がなくなり、データの重複を避けることができる。
【００３３】
また本発明の編成支援システム１は、編み製品の編成を行う不図示の編機のコントローラ内に設けても構わない。
【００３４】
本発明の第２の実施形態について説明する。先に説明を行った第１の実施の形態に対応する部分については同一の参照符を付す。第１図で示した第１の実施形態では、検索手段２４は検索情報記憶手段２２に記憶した検索情報から所望する編み製品と編み製品を構成する各部位を含めて全体的に類似する編地の検索を行い、出力手段３０によりその編地に対応する編機用調整データの出力を行う。
【００３５】
本実施の形態では、所望する編み製品の各部位毎に類似する編地をそれぞれ検索し、出力手段３０は検索手段２４により検索されたそれぞれの編地の所望する編み製品と類似する部位の編機用調整データの出力を行う。
【００３６】
オペレータは、まず第６図に示した検索条件入力画面４８に従って、所望する編み製品の各種パラメータのデータ入力を行う。この検索条件入力画面４８では、所望する編み製品の基本となる各部位共通のパラメータ５０と、身頃，首回り，袖付け等の各部位毎のパラメータ５２の入力をそれぞれ行う。
【００３７】
入力されたデータを基に検索手段２４は検索情報記憶手段２２に記憶した検索情報の中から、検索条件に適合する編地を所望する編み製品の各部位毎に検索する。そして第７図に示したような検索結果５４をモニタ１４に表示する。
【００３８】
検索手段２４による検索結果から各部位毎に所望する編み製品に最も類似する編地の選択を行う。各部位に対して類似する編地が１つだけの時はその編地を選択する。各部位に対して類似する編地が複数ある時は、その中から最も類似する編地を１つ選択するか、所望する編地を複数選択し解析手段２６により選択された複数の編地の編機用調整データの解析を行う。
【００３９】
出力手段３０により所望する編み製品の各部位毎に類似する編地の編機用調整データを各部位毎に読み出す。そして各部位毎の編機用調整データをまとめて所望する編み製品の試編に用いるデータとする。
【００４０】
本実施の形態では、ハードディスク１０の編機用調整データ記憶手段２８に記憶する編機用調整データは、セーターやベストのような製品として完成された編地ではなくてもよく、首回りや袖といった編み製品を構成する各部位のみの編地のデータであっても構わない。
【００４１】
このように所望する編み製品の各部位毎に類似する編成実績のある編地を検索し、検索された編地の編機用調整データを用いて所望する編み製品を編機で編成する。したがって編機用調整データ記憶手段２８に所望する編み製品に全体的に類似する編成実績のある編地が記憶されていなくても、編み製品の各部位毎に類似する編地があればその編地が検索されて、類似する部位の編機用調整データが読み出される。これにより編機用調整データ記憶手段２８に記憶された編成実績のある編地のデータ蓄積量が少ない場合でも、所望する編み製品に適した編機用調整データに近いデータを得ることが可能となる。
【００４２】
第８図は本発明の他の実施形態として、編成支援システムをインターネットなどの通信ネットワーク上からの接続を受けるＷｅｂサーバとして設置した編み製品の編成支援サーバシステム６０の構成を示している。
【００４３】
編成支援サーバシステム６０の構成は、第１の実施の形態と類似し、対応する部分には同一の参照符を付す。本実施の形態の編成支援サーバシステム６０は、一般的なインターネットシステム６２によりクライアントシステム６４と接続され、サーバシステム６０に設けられた送受信部６６により、インターネットシステム６２を介して各クライアントシステム６４との間でデータの送受信を行う。また、編成支援サーバシステム６０には編成プログラムを作成するための編成プログラム作成手段は設けられていない。
【００４４】
編成支援サーバシステム６０には、各種データ処理を行うＣＰＵ４、各種プログラムを記憶したＲＯＭ６、作業用メモリ９を備えたＲＡＭ８、そしてハードディスク１０が設けられる。
【００４５】
ＲＯＭ６には、ハードディスク１０の検索情報記憶手段２２に記憶した検索情報を検索するための検索手段２４や、検索手段２４による検索結果に対して解析を行う解析手段２６、検索手段２４による検索結果に対応する編地の編機用調整データをハードディスク１０内の編機用調整データ記憶手段２８から読み出して出力する出力手段３０等を形成するプログラムが記憶されている。
【００４６】
オペレータはクライアントシステム６４からインターネット６２経由でサーバシステム６０に接続して所望する編み製品の各種パラメータ３３のデータ入力を行う。入力されたデータを基に検索手段２４は、編地別に記憶された検索情報の中から検索条件に適合する編地を検索する。検索結果は出力手段３０および送受信部６６によりクライアントシステム６４に送信される。そしてオペレータは受信した編地を選択しその編地に対応する編機用調整データをサーバシステム６０が送信するように要求する。検索手段２４による検索の結果、複数の編地が検索された場合は、必要に応じて複数の編地の中から所望する編地の選択を行い、これらの編機用調整データの平均化等の解析処理を解析手段２６により行う。そして解析された編機用調整データをクライアントシステム６４に送信する。
【００４７】
各クライアントシステム６４は、サーバシステム６０に対して編成実績のある編地の編機用調整データとそれを検索するための検索情報を登録することも可能である。
【００４８】
上記のようなサーバシステム６０は例えば本部に設置し、サーバシステム６０にインターネットシステム６２を介して接続するクライアントシステム６４を各アパレル工場やファクトリーブティック等に設置することで、編成実績のある複数の編地の編機用調整データとそれを検索するための検索情報を共有化することができる。これにより各クライアントシステム６４はいつでも最新のデータを用いて、編成しようとする編み製品に類似する編地の編機用調整データを入手することができる。
【００４９】
以上説明した本発明の実施の形態では、編機用調整データとそれを検索するための検索情報はそれぞれハードディスク１０内の編機用調整データ記憶手段２８と検索情報記憶手段２２に記憶し、編機用調整データと検索情報とは編地コード３４により互いの対応付けを行うようにすることで、検索の効率化を図っている。しかしこれは編機用調整データと検索情報とを分けずに同じ記憶手段内に記憶し、編地毎にレコード設定をした１つのデータベースとしても構わない。
【００５０】
また、編機用調整データ記憶手段２８には編成実績のある編地の編機用調整データを記憶しているが、これは編成実績のある編地の編機用調整データを基にして作成された編機用調整データや、各パラメータを基に理論値として算出された編機用調整データなどでも構わない。
【００５１】
以上、本発明の好適な実施の形態を示したが、本発明は上記実施の形態に限定されるものではなく、本発明の主旨に逸脱しない範囲において実施可能である。
【００５２】
【産業上の利用可能性】
本発明によれば、初めて編成を行う編み製品であっても編成実績のある編地の中から類似する編地を検索し、その編地を編成する際に使用した編機用調整データを得ることができる。このような支援により、所望する編み製品に適した編機用調整データに近いデータを容易に得ることができる。
【００５３】
また、検索手段による検索の結果、編成する編み製品に類似する編地が複数ある場合は、所望する複数の編地の編機用調整データを解析し平均化を行うことで、複数の編地間でのばらつきを抑えた編機用調整データを得ることができる。
【００５４】
また、検索手段は所望する編み製品の各部位毎に類似する編地をそれぞれ検索し、出力手段は検索手段により検索されたそれぞれの編地の所望する編み製品と類似する部位の編機用調整データの出力を行う。これにより編機用調整データ記憶手段に記憶された編成実績のある編地のデータ蓄積量が少ない場合であっても、所望する編み製品に適した編機用調整データに近いデータを得ることができる。
【００５５】
また本発明によれば、編成支援サーバシステムは複数のクライアントシステムと送受信可能に通信接続され、各クライアントシステムから入力された検索条件を基に検索手段は編成実績のある複数の編地の検索情報の中から編成を行う編み製品に類似する編地を検索する。そしてクライアントシステムからの要求に応じて検索された編地に対応する編機用調整データをクライアントシステムに送信する。これにより各クライアントシステムは編成実績のある複数の編地の編機用調整データとそれを検索するための検索情報を共有することができ、いつでも最新のデータを入手することができる。
【図面の簡単な説明】
【図１】第１の実施の形態を示す編成支援システムの概略的な構成を示すブロック図である。
【図２】第１図の編成支援システムの処理手順を示すフローチャートである。
【図３】第１図の実施形態の検索条件入力画面を示した図である。
【図４】第１図の実施形態の検索手段による検索結果を示した図である。
【図５】第１図の実施形態の編機用調整データを一覧表示させた図である。
【図６】第２の実施形態の検索条件入力画面を示した図である。
【図７】第２の実施形態の検索手段による検索結果を示した図である。
【図８】第３の実施形態を示す編成支援サーバシステムの概略的な構成を示した図である。
【図１】
0004943626.tif 000002
【図２】
0004943626.tif 000003
【図３】
0004943626.tif 000004
【図４】
0004943626.tif 000005
【図５】
0004943626.tif 000006
【図６】
0004943626.tif 000007
【図７】
0004943626.tif 000008
【図８】
0004943626.tif 000009